(57)【要約】【課題】上下ケースの組立工程においてケーブルを接続する作業を容易にして工数を低減しケーブルの接続間違いや絡み、挟み込み、抜け等の発生が抑えられるプロジェクターを提供する。【解決手段】プロジェクター１は、上ケース３と下ケース４とを有しプロジェクター１の光学ユニット５を内部に収納する外装ケース２と、上ケース３に配置されたインジケーター部２０、操作信号受信部２２、操作パネル２４、およびレンズカバー開閉検出部２６と、プロジェクター１の動作を制御する制御基板１０とを備え、インジケーター部２０は制御基板１０と電気的に接続されており、操作信号受信部２２、操作パネル２４、およびレンズカバー開閉検出部２６は、インジケーター部２０を介して制御基板１０と電気的に接続されていることを特徴とする。【選択図】図２
2012053116.tif 000002
【特許請求の範囲】
【請求項１】
プロジェクターであって、
上ケースと下ケースとを有し、光束を変調して投写する光学ユニットを内部に収納する外装ケースと、
前記上ケースに固定される複数の電子部品ユニットと、
前記下ケースに固定され、前記プロジェクターの動作を制御する制御部を有する制御基板と、を備え、
前記複数の電子部品ユニットは、前記制御基板と電気的に接続される第１の電子部品ユニットを含み、
前記第１の電子部品ユニット以外の電子部品ユニットは前記第１の電子部品ユニットを介して前記制御基板と電気的に接続されていることを特徴とするプロジェクター。
【請求項２】
請求項１に記載のプロジェクターであって、
前記第１の電子部品ユニットは、前記上ケースにおける側面側に配置されていることを特徴とするプロジェクター。
【請求項３】
請求項１または２に記載のプロジェクターであって、
前記第１の電子部品ユニットの消費電力は、前記複数の電子部品ユニットの消費電力のうちで最も大きいことを特徴とするプロジェクター。
【発明の詳細な説明】
【技術分野】
【０００１】
本発明は、プロジェクターに関する。
【背景技術】
【０００２】
プロジェクターは、一般に、光束を変調して投写する光学ユニット、ユーザーが操作するための操作パネル、動作状態をユーザーに報知するインジケーター部、リモートコントローラー（以下では、略してリモコンと呼ぶ）からの操作信号を受信する受信部、これらを統括制御する制御基板、上ケースと下ケースとで構成されプロジェクターの装置本体を収納する外装ケース等を備えている。
多くの場合、光学ユニットや制御基板は下ケースに取り付けられる。また、操作パネル、インジケーター部、受信部等の電子部品ユニットは上ケースに取り付けられ、それぞれケーブルを介して制御基板に電気的に接続されている。したがって、プロジェクターを組み立てる際は、下ケース側の制御基板と上ケース側の操作パネル、インジケーター部、受信部等を複数のケーブルで個別に接続するため、作業がしにくく作業時間がかかるとともにケーブルの接続先を間違えるおそれがある等の課題があった。
【０００３】
これに対して、筐体の下部側に取り付けられたメイン基板（制御基板）と、筐体の上部側に取り付けられたキー操作基板（操作パネル）との間の配線をなくした構成のプロジェクターが提案されている（例えば、特許文献１参照）。特許文献１に記載のプロジェクターは、光源ランプの光を光電変換するための太陽電池を備え、太陽電池からキー操作基板部に電力を供給するとともに、制御基板との間で赤外線通信により制御信号の送受信を行うことにより、メイン基板とキー操作基板との間の配線を不要としている。
【先行技術文献】
【特許文献】
【０００４】
【特許文献１】特開２００５−１９５７２７号公報
【発明の概要】
【発明が解決しようとする課題】
【０００５】
しかしながら、特許文献１に記載のプロジェクターでは、太陽電池からキー操作基板に電力を供給することを前提としており、また、キー操作基板以外のインジケーター部や受信部等については言及されていない。したがって、従来のように下ケース側の制御基板と上ケース側の複数の電子部品ユニットとが電気的に接続されたプロジェクターにおいて、上述の課題を解決できるものとはなっていない。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、上ケースと下ケースとを有し、光束を変調して投写する光学ユニットを内部に収納する外装ケースと、前記上ケースに固定される複数の電子部品ユニットと、前記下ケースに固定され、前記プロジェクターの動作を制御する制御部を有する制御基板と、を備え、前記複数の電子部品ユニットは、前記制御基板と電気的に接続される第１の電子部品ユニットを含み、前記第１の電子部品ユニット以外の電子部品ユニットは前記第１の電子部品ユニットを介して前記制御基板と電気的に接続されていることを特徴とする。
【０００８】
この構成によれば、上ケースに配置された第１の電子部品ユニットと下ケースに固定された制御基板とが電気的に接続されており、第１の電子部品以外の電子部品ユニットは第１の電子部品ユニットを介して制御基板と電気的に接続されている。これにより、上ケースに配置された複数の電子部品ユニットを個別にケーブルを介して制御基板に接続する場合に比べて、プロジェクターの組立工程においてケーブルを接続する作業が容易になるので、作業工数を低減でき、ケーブルの接続間違いや絡み、挟み込み、抜け等の発生を抑えることができる。また、制御基板にこれらのケーブルを接続するための接続部が不要となるので制御基板の大型化が避けられる。
【０００９】
［適用例２］上記適用例に係るプロジェクターであって、前記第１の電子部品ユニットは、前記上ケースにおける側面側に配置されていることが好ましい。
【００１０】
この構成によれば、第１の電子部品ユニットが上ケースにおける側面側に配置されているため、第１の電子部品ユニットにケーブルを接続する作業を外装ケースの側面側で行えるので作業が容易になる。
【００１１】
［適用例３］上記適用例に係るプロジェクターであって、前記第１の電子部品ユニットの消費電力は、前記複数の電子部品ユニットの消費電力のうちで最も大きいことが好ましい。
【００１２】
この構成によれば、第１の電子部品ユニットの消費電力は電子部品ユニットのうちで最も大きい。消費電力がより大きいと流れる電流の値がより大きくなるため、電子部品ユニット内の基板の配線パターンの幅を大きく設ける必要がある。そこで、流れる電流の値が最も大きい第１の電子部品ユニットで制御基板への接続を中継すれば、他の電子部品ユニットの基板に中継のための幅が大きい配線パターンを設けなくてもよくなるので、これらの電子部品ユニットの大型化が避けられる。
【図面の簡単な説明】
【００１３】
【図１】本実施形態に係るプロジェクターを示す斜視図。
【図２】本実施形態に係るプロジェクターの分解斜視図。
【図３】本実施形態に係る光学ユニットの概略構成を示す模式図。
【図４】本実施形態に係るプロジェクターのケーブル接続を示す模式図。
【発明を実施するための形態】
【００１４】
以下に、本発明の一実施形態について図面を参照して説明する。なお、参照する各図面において、構成をわかりやすく示すため、各構成要素の寸法の比率、角度等は適宜異ならせてある。
【００１５】
＜プロジェクターの外観構成＞
まず、本実施形態に係るプロジェクターの外観構成について、図１および図２を参照して説明する。図１は、本実施形態に係るプロジェクターを示す斜視図である。詳しくは、図１（ａ）はプロジェクター１を正面上方側から見た斜視図であり、図１（ｂ）は上ケース３を背面下方側から見た斜視図である。また、図２は、本実施形態に係るプロジェクターの分解斜視図である。
【００１６】
なお、以下の図および説明では、投写光学装置６から射出される光束の進行方向をＸ方向とし、Ｘ方向に直交する方向のうち水平方向に沿い、かつ、＋Ｘ側から見て右方向をＹ方向とする。さらに、Ｘ方向およびＹ方向に直交し、かつ、据置き姿勢での上方向をＺ方向とする。すなわち、Ｘ，Ｙ，Ｚで示される各方向は、それぞれ互いに直交する。また、＋Ｘ側（光束射出側）を正面と呼び、その反対側を背面と呼ぶ。そして、＋Ｚ側（据置き姿勢での上方側）を天面と呼び、その反対側を底面と呼ぶ。また±Ｙ側を側面と呼ぶ。
【００１７】
本実施形態に係るプロジェクター１は、光源から射出される光束を画像情報に応じて変調してスクリーン等の投写面に拡大投写する電子機器である。図１（ａ）に示すように、プロジェクター１は、光学ユニット５（図２，３参照）を内部に収納する外装ケース２を備えている。
【００１８】
外装ケース２は、例えば合成樹脂製の筐体であり、上ケース３と、下ケース４とで構成される。上ケース３は、プロジェクター１の天面、正面の一部、背面の一部、および側面の一部を構成する。下ケース４は、プロジェクター１の底面、正面の一部、背面の一部、および側面の一部を構成する。なお、外装ケース２は、合成樹脂製に限定されず、その他の材料、例えば金属等により構成されていてもよい。
【００１９】
図２に示すように、プロジェクター１の装置本体は、インジケーター部２０、操作信号受信部２２、操作パネル２４、レンズカバー開閉検出部２６、制御基板１０、投写光学装置６を含む光学ユニット５、冷却部７、電源部８等で構成される。
【００２０】
下ケース４には、光学ユニット５と、冷却部７と、電源部８とが所定の位置に固定されており、光学ユニット５の上に制御基板１０が配置され、固定されている。上ケース３は、下ケース４の上方に、上述の各装置を覆うように配置され、下ケース４にネジ等で固定されている。
【００２１】
冷却部７は、吸気用や排気用のファンおよびダクト等を備え、プロジェクター１の内部を冷却するための冷却風を外部から取り入れて流通させるとともに、プロジェクター１の内部を冷却して温まった空気を外部に排出する。電源部８は、プロジェクター１の外部の商用電源（交流電源）を所定の電圧の直流電圧に変換して、プロジェクター１を構成する各部に電力を供給する。
【００２２】
制御基板１０は、ＣＰＵ（Central Processing Unit）やＲＯＭ（Read Only Memory）、ＲＡＭ（Random Access Memory）等を備え、制御プログラムに従って動作することによりプロジェクター１の動作を制御する制御部を備える。制御基板１０は、操作信号受信部２２、操作パネル２４、レンズカバー開閉検出部２６等から伝達された信号に基づいて、インジケーター部２０を含むプロジェクター１の各部に適宜制御指示を出力する。
【００２３】
制御基板１０は接続部１１を備えており、接続部１１には、ケーブル１３の一方の端部１３ａが接続される。接続部１１は、例えばコネクターで構成され、ケーブル１３は、例えばフレキシブルフラットケーブル（ＦＦＣ）で構成される。制御基板１０は、ケーブル１３によってインジケーター部２０と電気的に接続されている。制御基板１０は、さらにインジケーター部２０を中継して、操作信号受信部２２、操作パネル２４、およびレンズカバー開閉検出部２６と電気的に接続されている。
【００２４】
上ケース３には、開口部３ａと、開口部３ｂと、開口部３ｃと、開口部３ｄと、開口部３ｅと、開口部３ｆとが設けられている。開口部３ａは投写光学装置６から射出される光束を通過させるためのものであり、開口部３ｂは投写光学装置６の調整部６ａを露出させるためのものである。また、開口部３ｃはレンズカバー２５の操作部２５ａを、開口部３ｄは操作信号受信部２２の受信素子２２ａを、開口部３ｅは操作パネル２４の操作キー２４ａを、開口部３ｆはインジケーター部２０のＬＥＤ２０ａを、それぞれ露出させるためのものである。
【００２５】
図１（ａ），（ｂ）に示すように、上ケース３には、インジケーター部２０と、操作信号受信部２２と、操作パネル２４と、レンズカバー２５と、レンズカバー開閉検出部２６と、レンズカバー保持部２７（図２参照）とが取り付けられている。なお、本実施形態では、上ケース３に取り付けられたインジケーター部２０、操作信号受信部２２、操作パネル２４、およびレンズカバー開閉検出部２６を総称して、電子部品ユニットと呼ぶ。また、インジケーター部２０が本発明の第１の電子部品ユニットに相当する。
【００２６】
インジケーター部２０は、上ケース３の天面における側面側に配置されている。インジケーター部２０は、複数のＬＥＤ２０ａ（発光ダイオード）と、ＬＥＤ２０ａが実装されたＬＥＤ回路基板２０ｂとを備える。インジケーター部２０は、制御基板１０からの点灯信号に基づいてＬＥＤ２０ａの点灯、点滅、消灯、発光色等を適宜切り替えることにより、ユーザーにプロジェクター１の動作状態（オン状態やスタンバイ状態、異常発生等）を報知する。
【００２７】
インジケーター部２０は接続部１２ａを備えており、接続部１２ａには制御基板１０と接続されたケーブル１３の他方の端部が接続されている。接続部１２ａは、例えばコネクターで構成される。インジケーター部２０は制御基板１０と電気的に接続されている。ケーブル１３を介して制御基板１０からインジケーター部２０に制御信号および電源部８からの電力が供給される。インジケーター部２０の消費電力は複数のＬＥＤ２０ａを備えており、上ケース３に取り付けられた電子部品ユニットのうちで最も消費電力の高い電子部品ユニットである。
【００２８】
インジケーター部２０は、操作信号受信部２２、操作パネル２４、およびレンズカバー開閉検出部２６のそれぞれと制御基板１０とを中継する中継部材としての役割も有している。そのため、インジケーター部２０は、例えばコネクターで構成される接続部１２ｂ，１２ｃ，１２ｄを備え、ＬＥＤ回路基板２０ｂは接続部１２ｂ，１２ｃ，１２ｄのそれぞれと接続部１２ａとの間を結ぶ配線パターンをさらに備えている。そして、接続部１２ｂにはケーブル１４が接続され、接続部１２ｃにはケーブル１５が接続され、接続部１２ｄにはケーブル１６が接続されている。また、ケーブル１３は、インジケーター部２０と制御基板１０とを電気的に接続する配線の他に、操作信号受信部２２、操作パネル２４、およびレンズカバー開閉検出部２６のそれぞれと制御基板１０とを電気的に接続する配線を備えている。
【００２９】
また、中継部材は側面側に配置することにより中継部材の接続部にケーブル１３を接続する作業を上ケース３および下ケース４の側面側で行えるため、中継部材が中央部に配置される場合に比べて、ケーブル１３を接続する作業が容易になる。これにより、プロジェクター１の組み立てや分解における作業性が向上する。
【００３０】
さらに、消費電力が最も大きい電子部品ユニットを中継部材とする必要がある。消費電力が大きいと流れる電流の値も大きくなるため、配線パターンの幅を大きく設ける必要がある。電子部品ユニットの中で消費電力が大きいものを中継部材に用いれば、幅が大きい配線パターンを中継のためだけに他の電子部品ユニットに設けなくてもよいので、他の電子部品ユニットの大型化が避けられる。
【００３１】
本実施形態におけるインジケーター部２０は、上ケース３の天面における側面側に配置され、かつ、電子部品のうちで最も消費電力が大きい。したがって、本実施形態においては、インジケーター部２０が中継部材として好適である。また、インジケーター部２０を中継部材として利用するので、上述の電子部品ユニットの他に中継のための基板を別途設けることが不要となる。
【００３２】
なお、中継部材はインジケーター部２０に限定されるものではなく、上述の条件を兼ね備えたものであれば、他の電子部品ユニットを中継部材として用いてもよい。
【００３３】
操作パネル２４は、上ケース３の天面に配置されている。操作パネル２４は、プロジェクター１に対して電源のオン・オフや入力ソースの切り替え等の各種指示を行うための入力操作を受け付ける複数の操作キー２４ａと、操作キー２４ａに対応するスイッチ（図示省略）が実装されたＳＷ回路基板２４ｂとを備えている。操作パネル２４は、ユーザーの操作内容に応じた操作信号を制御基板１０に出力する。ＳＷ回路基板２４ｂは、ケーブル１５によってインジケーター部２０と電気的に接続されるとともに、ＬＥＤ回路基板２０ｂおよびケーブル１３を介して制御基板１０と電気的に接続されている。
【００３４】
操作信号受信部２２は、上ケース３の正面に配置されている。操作信号受信部２２は、受信素子２２ａと受信素子２２ａが実装された素子回路基板２２ｂとを備える。操作信号受信部２２は、操作パネル２４と同様の複数の操作キーを備えたリモコン（図示省略）からのユーザーの操作内容に応じた赤外線の操作信号を受信し、制御基板１０に出力する。素子回路基板２２ｂは、ケーブル１４によってインジケーター部２０と電気的に接続されるとともに、ＬＥＤ回路基板２０ｂおよびケーブル１３を介して制御基板１０と電気的に接続されている。
【００３５】
なお、操作信号受信部２２を上ケース３に配置することで、操作信号受信部２２を下ケース４に配置する場合に比べて、開口部３ｄに対する受信素子２２ａの相対的な位置精度を高めることができる。これにより、開口部３ｄに対する受信素子２２ａの位置ずれに起因するリモコンからの操作信号の受信低下が抑えられる。
【００３６】
レンズカバー２５は、上ケース３の正面の内側に配置され、レンズカバー保持部２７によりスライド可能に保持されている。レンズカバー２５は、板状の部材で構成されており、開口部３ａを閉塞可能な面積を有している。レンズカバー２５は、プロジェクター１を使用しないときに開口部３ａを閉塞することで、投写光学装置６を保護するとともに、開口部３ａからプロジェクター１内部への異物や塵埃等の侵入を防止する機能を有する。
【００３７】
レンズカバー２５には、レンズカバー２５の上部から＋Ｚ側に突出して開口部３ｃから露出する操作部２５ａが設けられている。ユーザーが操作部２５ａを把持してＹ方向に沿ってスライド操作することにより、レンズカバー２５を開口部３ａを閉塞する位置と開口部３ａを開放する位置との間で移動させて、開閉を行うことができる。
【００３８】
レンズカバー開閉検出部２６は、レンズカバー２５の開閉を検出するためのものである。レンズカバー開閉検出部２６は、例えば接点スイッチで構成され、レンズカバー２５を移動させることで接点スイッチがオン／オフされることにより、レンズカバー２５による開口部３ａの開放および閉塞を検出し、検出信号を制御基板１０に出力する。
【００３９】
なお、レンズカバー開閉検出部２６は、接点スイッチに限定されず、電気的または光学的に開閉状態を検出する素子で構成されていてもよい。レンズカバー開閉検出部２６は、ケーブル１６によってインジケーター部２０と電気的に接続されるとともに、ＬＥＤ回路基板２０ｂおよびケーブル１３を介して制御基板１０に電気的に接続されている。
【００４０】
図２に示すように、レンズカバー保持部２７は、上ケース３の天面の内側に配置される部分と、上ケース３の正面の内側に配置される部分とが一体に形成されたものであり、Ｙ方向から見て略Ｌ字形状を有している。レンズカバー保持部２７は、上ケース３の内側にネジ止め等により固定されるとともに、レンズカバー２５をスライド可能に保持する。
【００４１】
なお、プロジェクター１を組み立てる工程では、上ケース３と下ケース４とを組み合わせる前に、上ケース３に、操作信号受信部２２、操作パネル２４、およびレンズカバー開閉検出部２６を固定し、操作信号受信部２２、操作パネル２４、およびレンズカバー開閉検出部２６と接続されたケーブル１４，１５，１６をインジケーター部２０の接続部１２ｂ，１２ｃ，１２ｄに接続しておく。そして、光学ユニット５、冷却部７、電源部８、および制御基板１０が固定された下ケース４の上に上ケース３を配置し、インジケーター部２０の接続部１２ａと制御基板１０の接続部１１にケーブル１３を接続した後、上ケース３を下ケース４に固定する。このような方法によれば、プロジェクター１の上ケース３と下ケース４とを組み合わせる工程を容易に行うことができる。
【００４２】
＜光学ユニットの概略構成＞
次に、光学ユニットの概略構成について、図３を参照して説明する。図３は、本実施形態に係る光学ユニットの概略構成を示す模式図である。図３に示すように、光学ユニット５は、光源装置１００と、照明光学装置２００と、色分離光学装置３００と、リレー光学装置４００と、光変調装置５００と、投写光学装置６とを備えている。
【００４３】
光源装置１００は、光束を射出する発光管１１０と、リフレクター１２０とを備えている。発光管１１０は、超高圧水銀ランプやメタルハライドランプ等からなる。光源装置１００は、発光管１１０から射出された光束をリフレクター１２０で反射させて射出方向を揃え、照明光学装置２００に向けて射出する。照明光軸ＯＣは、光源装置１００から被照明領域側に射出される光束の中心軸である。
【００４４】
照明光学装置２００は、第１のレンズアレイ２１０と、第２のレンズアレイ２２０と、偏光変換素子２３０と、重畳レンズ２４０とを備えている。照明光学装置２００は、光源装置１００から射出された光束を複数の部分光束に分割し、各部分光束を略１種類の偏光光に揃えて、照明対象である３つの液晶装置５２０Ｒ，５２０Ｇ，５２０Ｂの光入射面上に重畳させる。
【００４５】
色分離光学装置３００は、第１のダイクロイックミラー３１０と、第２のダイクロイックミラー３２０と、反射ミラー３３０とを備えている。色分離光学装置３００は、照明光学装置２００から射出された光束を、赤色（Ｒ）光、緑色（Ｇ）光、青色（Ｂ）光の３色の色光に分離する。
【００４６】
リレー光学装置４００は、入射側レンズ４１０と、リレーレンズ４２０と、反射ミラー４３０，４４０とを備えている。リレー光学装置４００は、色分離光学装置３００で分離されたＢ光をＢ光用の液晶装置５２０Ｂまで導く。なお、本実施形態では、リレー光学装置４００がＢ光を導く構成としているが、これに限定されず、例えば、Ｒ光を導く構成としてもよい。
【００４７】
光変調装置５００は、フィールドレンズ５１０Ｒ，５１０Ｇ，５１０Ｂと、入射側偏光板（図示省略）と、液晶装置５２０Ｒ，５２０Ｇ，５２０Ｂと、射出側偏光板（図示省略）と、クロスダイクロイックプリズム５３０とを備えている。入射側偏光板および射出側偏光板は、液晶装置５２０Ｒ，５２０Ｇ，５２０Ｂ毎に設けられている。
【００４８】
液晶装置５２０Ｒ，５２０Ｇ，５２０Ｂは、色分離光学装置３００で分離された各色光を画像情報に応じて変調する。クロスダイクロイックプリズム５３０は、４つの直角プリズムを貼り合わせた平面視略正方形状をなし、直角プリズム同士を貼り合わせた界面には、２つの誘電体多層膜が形成されている。クロスダイクロイックプリズム５３０は、液晶装置５２０Ｒ，５２０Ｇ，５２０Ｂにて変調された各色光を合成し、投写光学装置６側に射出する。
【００４９】
投写光学装置６は、複数のレンズと複数のレンズを内部に収納する筒状の鏡筒とで構成される（具体的な図示は省略）。投写光学装置６は、光変調装置５００で変調され合成された光束をスクリーン等の投写面上に射出する。これにより、投写面上に画像が拡大投写される。投写光学装置６は、投写面上に投写される画像のズーム状態やフォーカス（ピント）を調整するための調整部６ａ（図１（ａ）参照）を備えている。
【００５０】
以上、本実施形態に係るプロジェクター１の構成によれば、以下の効果が得られる。
【００５１】
（１）上ケース３に取り付けられたインジケーター部２０、操作信号受信部２２、操作パネル２４、およびレンズカバー開閉検出部２６のうち、インジケーター部２０が制御基板１０とケーブル１３によって電気的に接続されている。また、操作信号受信部２２、操作パネル２４、およびレンズカバー開閉検出部２６は、ケーブル１４，１５，１６によってインジケーター部２０と電気的に接続されるとともに、インジケーター部２０とケーブル１３とを介して制御基板１０と電気的に接続されている。
そのため、プロジェクター１の組立工程において、作業が容易になる。これにより、作業工数の低減や、組立工程での不具合を抑えられる。また、制御基板１０の大型化が避けられる。さらに、インジケーター部２０を中継部材として利用するので、中継のための基板を別途設けることが不要となる。
上記の効果について図４を参照して詳細に説明する。図４は、本実施形態に係るプロジェクターのケーブル接続を示す模式図である。詳しくは、図４（ａ）は本実施形態に係るプロジェクターのケーブル接続を示す模式図であり、図４（ｂ）本実施形態に対する比較例のケーブル接続を示す模式図である。
【００５２】
図４（ａ）に示す本実施形態のプロジェクター１では、上述したように、上ケース３側で操作信号受信部２２、操作パネル２４、およびレンズカバー開閉検出部２６がインジケーター部２０とケーブル１４，１５，１６で接続されており、インジケーター部２０が下ケース４側の制御基板１０とケーブル１３で接続されている。したがって、プロジェクター１の組立工程では、上ケース３と下ケース４とを組み合わせる際に、上ケース３側と下ケース４側との間でケーブル１３を接続すればよい。
【００５３】
図４（ｂ）に示す比較例のプロジェクター１０１では、従来のプロジェクターと同様に、上ケース３側のインジケーター部２０、操作信号受信部２２、操作パネル２４、およびレンズカバー開閉検出部２６が下ケース４側の制御基板１０と、直接ケーブル１３，１４，１５，１６で個別に接続された構成となっている。したがって、制御基板１０には、接続部１１の他に、ケーブル１４，１５，１６を接続するための接続部１７ａ，１７ｂ，１７ｃが設けられている。
【００５４】
また、プロジェクター１０１の組立工程で上ケース３と下ケース４とを組み合わせる際には、上ケース３側と下ケース４側との間でケーブル１３，１４，１５，１６を個別に接続することとなる。複数のケーブルを制御基板１０に接続しなければならないので、作業がしにくく作業時間がかかるとともに、ケーブルの接続先を間違える等のミスが発生するおそれがある。また、上ケース３側と下ケース４側との間に複数のケーブルが介在するので、ケーブル同士が絡まったり、上ケース３側の部材と下ケース４側の部材との間にケーブルを挟み込んだり、接続したケーブルが抜けたりすることが起こり得る。
【００５５】
これに対して本実施形態のプロジェクター１の構成によれば、比較例のプロジェクター１０１に比べて、ケーブル１４，１５，１６を短くでき、組立工程において上ケース３側と下ケース４側との間に一本のケーブル１３を接続すればよいので、作業が容易で作業時間を短縮できるとともに、ケーブルの接続間違いや絡み、挟み込み、抜け等の発生を抑えることができる。また、制御基板１０にはケーブル１４，１５，１６が接続されないので、制御基板１０に接続部１７ａ，１７ｂ，１７ｃを設けるスペースが不要となる。これにより、比較例のプロジェクター１０１に比べて制御基板１０の大型化が避けられる。
【００５６】
（２）インジケーター部２０が上ケース３における側面側に配置されている。そのため、インジケーター部２０にケーブル１３を接続する作業を上ケース３および下ケース４の側面側で行えるので作業が容易になる。また、ケーブル１３が邪魔になりにくくなるので、プロジェクター１の組み立てや分解における作業性が向上する。
【００５７】
（３）インジケーター部２０の消費電力は、操作信号受信部２２、操作パネル２４、およびレンズカバー開閉検出部２６のそれぞれの消費電力よりも大きい。そのため、上ケース３側の他の電子部品ユニットよりも流れる電流の値が大きいインジケーター部２０を中継部材として用いることで、他の電子部品ユニットに中継のための幅が大きい配線パターンを設けなくてもよいので、他の電子部品ユニットの大型化が避けられる。
【００５８】
以上、本発明のプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００５９】
（変形例１）
上記実施形態におけるプロジェクター１は、上ケース３にインジケーター部２０、操作信号受信部２２、操作パネル２４、およびレンズカバー開閉検出部２６が取り付けられた構成を有していたが、このような構成に限定されない。上ケース３に上述の他に電子部品ユニットがさらに取り付けられた構成としてもよい。このような電子部品ユニットとしては、例えば、スピーカー、背面側に配置された操作信号受信部、スクリーン上に書き込まれた画像を撮像するカメラ等があげられる。
【００６０】
（変形例２）
上記実施形態におけるプロジェクター１は、光を透過し光束入射面と光束射出面とが異なる透過型の液晶装置５２０を備えた透過型のプロジェクターであるが、本発明はこれに限定されるものではない。プロジェクターは、光を反射し光束入射面と光束射出面とが同一となる反射型の液晶装置を備えた反射型のプロジェクターであってもよい。反射型のプロジェクターに本発明を適用した場合にも、透過型のプロジェクターと同様の効果を得ることができる。  
【００６１】
（変形例３）
上記実施形態におけるプロジェクター１は光変調装置に３つの液晶装置５２０を用いたプロジェクターであるが、本発明はこれに限定されるものではない。本発明は、例えば、１つ、２つまたは４つ以上の液晶装置を用いたプロジェクターにも適用することができる。
【００６２】
（変形例４）
上記実施形態のプロジェクター１の構成では、光変調装置に液晶装置５２０を用いているが、本発明はこれに限定されるものではない。光変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【符号の説明】
【００６３】
１…プロジェクター、２…外装ケース、３…上ケース、４…下ケース、１０…制御基板、１３…ケーブル、２０…インジケーター部、２２…操作信号受信部、２４…操作パネル、２６…レンズカバー開閉検出部。
【図１】
2012053116.tif 000003
【図２】
2012053116.tif 000004
【図３】
2012053116.tif 000005
【図４】
2012053116.tif 000006